(57)【要約】【課題】リールとともに、ボールがその上を転動する溝を有するロック円板を備える巻取り装置によってコードの巻取りおよびロックを行なうようにした巻取り装置において、リールが筐体内で傾いたり、あるいはまた筐体に対して外力が加わっても、ボールが転動する隙間が変化しないようにし、これによって小型軽量でかつ確実な動作と便利な操作性とを確保する。【解決手段】リール２７の軸線方向の一方の端面に嵌合孔９５を形成し、この嵌合孔９５内にロック円板４０を遊嵌するとともに、その外周部の突部９７を上記リール２７の嵌合孔９５の内周面の係止用凹部９６に受入れるようにし、外筐を構成するリヤカバー３６のホルダ３８内に保持されているボール３９をロック円板４０の溝７５、７８内を転動させる。【選択図】図８
2008303037.tif 000002
【特許請求の範囲】
【請求項１】
リールの外周部に紐状体を巻付けて巻取るようにした巻取り装置において、
前記リールに該リールと一緒に回転するように取付けられ、溝部を備えるロック円板と、前記ロック円板の溝内を相対的に移動するボールと、
を具備し、前記ロック円板はこの巻取り装置の筐体に回転可能に支持されるとともに、前記リールに遊嵌された状態で一緒に回転するように係合されていることを特徴とする巻取り装置。
【請求項２】
前記リールが支軸によって前記筐体に回転可能に支持されるとともに、前記リールと前記支軸との間に弾性部材が介装され、該弾性部材の弾性復元力によって前記リールが回転して前記紐状体を巻取ることを特徴とする請求項１に記載の巻取り装置。
【請求項３】
前記ロック円板は、前記リールに対して傾斜可能に取付けられていることを特徴とする請求項１に記載の巻取り装置。
【請求項４】
前記溝部は前記ロック円板の前記リールと対向する面とは反対側の面に形成され、少なくとも前記リールが内部に収納される前記筐体の内表面に設けられたホルダに前記ボールが保持され、前記ボールが前記ロック円板の前記溝内を相対的に転動することを特徴とする請求項１に記載の巻取り装置。
【請求項５】
前記ロック円板の溝部内を相対的に転動する前記ボールが前記筐体の内表面に設けられている保持溝から成る前記ホルダによって前記リールの半径方向に移動可能に保持されていることを特徴とする請求項４に記載の巻取り装置。
【請求項６】
前記ロック円板の外周部に係合用の突部が形成され、該突部が前記リールの嵌合孔の内周面に形成された係合用凹部に形成され、前記ロック円板と前記リールとが一緒に回転するように前記ロック円板が前記リールに取付けられることを特徴とする請求項１に記載の巻取り装置。
【請求項７】
前記ロック円板の溝部が第１の溝と第２の溝とロック部とを有し、前記紐状体を引出す際には前記ボールが前記ロック円板の前記第１の溝内を相対的に転動し、前記ボールが前記第１の溝にある状態で前記紐状体の引出しを停止すると、前記リールが前記弾性部材によって最大１回転戻って前記第１の溝と鋭角状に交わる前記ロック部に前記ボールが入込んで前記リールがロックされ、前記ロック状態で前記紐状体を引出すと前記ボールが前記ロック部から前記第２の溝を通って前記第１の溝に戻って更に引出され、前記第２の溝内に前記ボールがある状態で前記紐状体の引出しを解除すると前記ボールが前記第２の溝内を相対的に転動するとともに前記弾性部材によって前記リールが巻取り方向に回転して巻取り動作が行なわれることを特徴とする請求項１に記載の巻取り装置。
【請求項８】
前記ロック円板の前記溝部を構成する前記第１の溝と前記第２の溝とが前記ロック円板上において同心円状に形成され、しかも前記ロック部が前記第１の溝と前記第２の溝との間に前記第１の溝および前記第２の溝に連通して形成されていることを特徴とする請求項７に記載の巻取り装置。
【請求項９】
前記紐状体が信号ケーブルであることを特徴とする請求項１に記載の巻取り装置。
【請求項１０】
首に巻付けられるネックストラップの分岐部に巻取り装置が設けられ、該巻取り装置によって先端部にコネクタが取付けられたコードが巻取られるようになっており、
前記巻取り装置はこの巻取り装置の筐体に回転可能に支持されるとともにリールと一緒に回転するロック円板を備え、該ロック円板の溝内をボールが相対的に移動するようになっており、しかも前記ロック円板は前記リールに遊嵌されて傾斜可能に取付けられており、
前記巻取り装置の筐体に吊下げ手段を介して携帯式電子機器が吊下げられ、前記コネクタが前記電子機器に接続されるようになっており、前記吊下げ手段が連結部材を介して前記巻取り装置の筐体に対して係合および離脱自在であることを特徴とする吊下げ装置。
【請求項１１】
前記巻取り装置の筐体側のホルダに保持されている前記ボールが前記ロック円板の溝内を相対的に転動してコードの引出しおよび巻取りが行なわれることを特徴とする請求項７に記載の吊下げ装置。
【請求項１２】
前記リールで巻取られるコードが片側１本であることを特徴とする請求項７に記載の吊下げ装置。
【請求項１３】
前記リールの端面の導体パターンと対接するブラシを有する接点基板が前記巻取り装置の筐体内に取付けられていることを特徴とする請求項７に記載の吊下げ装置。
【発明の詳細な説明】
【技術分野】
【０００１】
本発明は巻取り装置および巻取り装置を用いた吊下げ装置に係り、とくにコード等の紐状体を巻取るための巻取り装置およびこのような巻取り装置によって巻取られるコード等の紐状体が接続される電気機器を吊下げる吊下げ装置に関する。
【背景技術】
【０００２】
携帯電話機の技術の進歩に伴って、各種の機能が取付けられるようになっている。すなわち携帯電話機に、デジタルカメラやミュージックプレーヤ等の機能のみならず、ワンセグテレビと称されるテレビジョン放送の受像機としての機能や、Ｓｕｉｃａ（登録商標）やＦｅｌｉｃａ（登録商標）等のような電子タグを代表する非接触近接通信機能を用いた自動改札機対応機能や決済機能等の様々な付加機能が追加される傾向にある。これによって音楽の再生プレーヤを首からネックストラップによって吊下げ、また胸のポケットや鞄の中に入れて使用し、さらにその他に財布や定期券を持って行動する行動様式に代えて、携帯電話機をネックストラップによって首から吊下げて、テレビジョン放送の視聴や電車での移動、あるいは買い物等を行なうことが可能になっている。
【０００３】
一方で、電源や音声信号を伝達するためのコードが付いた電子機器において、電気コードを巻取るための巻取り装置を設けることは、例えば特公平５−３４８４０号公報や、実開昭５７−９１３８９号公報に開示されているように、従来から広く行なわれている。ヘッドホンやヘッドセットにおいても、収納時におけるコードの絡みを防止することを目的として、コードを巻取る巻取り機構を用いることは、とくに珍しくなくなっている。このような状況下において、携帯電話機の多機能化や、数百、数千の曲や映像を再生する携帯式デジタルプレーヤ等のような携帯式電子機器の進化によって、より便利な携帯性能を考慮した使用方法が求められる傾向にある。
【０００４】
しかるに、とくに多機能化する携帯電話機に対し、便利なストラップ式のヘッドホン、ヘッドセットは、存在しなかった。何故ならば、従来の小型プレーヤをネックストラップによって首から吊下げるタイプのものであって、ワンセグのテレビジョン受像機の機能や、決済機能を有する携帯電話機を首に吊下げて使用する場合には、ネックストラップから携帯電話機までの吊下げ長さが首から胸までで一定の値になる。従ってそのままの状態で、携帯電話機によってワンセグ機能を利用してテレビジョン受像機を視聴しようとすると、胸からの距離が２０ｃｍ程度の値になってしまい、ディスプレイの位置が近すぎる位置になる。このことから、携帯電話機によってテレビジョン受像機を視聴する場合には、ネックストラップを取外す必要があった。また自動改札機も腰の高さ程度の位置に自動改札機のタッチセンサがあるために、ネックストラップによって首から吊下げた携帯電話機を自動改札機のタッチセンサにかざすためには不自然な姿勢をとらなければならず、このために、いちいち携帯電話機を首から取外して携帯電話機を自動改札機のタッチセンサにアクセスする必要があった。
【０００５】
一方で電源や音声信号を伝達するためのコードがついた製品においては、携帯・収納時のコードの絡み防止を主目的として、コードを巻取る巻取り機構を用いることが多い。例えばヘッドホンセットにもコードの巻取り機能を付けることが一般的になっている。
【０００６】
先端部にプラグが接続されたコードをぜんまいばねを備えるリールで巻取る構造において、引出したコードを引出した状態で保持したり、解除してリールによって巻取りを行なうための機構として、大きく分けて２種類の機構がある。第１の機構は、リールの端面に鋸歯状歯を付けたラチェット機構である。この場合にはラチェット爪の動作・解除によって巻取りと引出しの切換えを行なう。２つ目は、ボールベアリングと、このボールベアリングの動く範囲を溝で規制するロック円板を用いる構造である。
【０００７】
前者のラチェット機構は、解除釦を押す操作を行なわない限り巻取りが行なわれない構造に構成し易いために、不用意に巻取りがなされない構造を望む場合に用いられる。これに対して後者のボールベアリング式は、少し引出すと巻取りが行なわれ、より多く引出すと巻取りが継続されるという操作の簡便さを求める場合に好適である。
【０００８】
とくにボールベアリングを用いたロック円板によるロック機構は、ボールが動く範囲を溝で規制することによって動作を行なうが、溝の深さを最適に設定し、溝の深さの差を利用する機構であって、一般的には、リールと筐体との間に溝が設けられ、ボールベアリングを挟む構成になる。そのために、筐体が少しでも押さえつけられたり、ボールが傾いたりすると、ボールと溝との間の隙間が変わってしまって動作が不安定になる恐れがあった。一方で小型軽量化のためには、筐体の剛性を十分にとることが難しく、リールがスムーズに動くためには、ガタをある程度見込む必要があり、このために２つの要求の両立が困難になっている。
【特許文献１】特公平５−３４８４０号公報
【特許文献２】実開昭５７−９１３８９号公報
【発明の開示】
【発明が解決しようとする課題】
【０００９】
本願発明の課題は、紐状体を確実に巻取ることが可能な巻取り装置、およびこのような巻取り装置を用いた吊下げ装置を提供することである。
【００１０】
本願発明の別の課題は、コード等の紐状体を簡便な操作によって巻取ることができるようにした巻取り装置と、およびこのような巻取り装置を用いた吊下げ装置を提供することである。
【００１１】
本願発明のさらに別の課題は、小型軽量であってしかも確実な動作と操作性とを備えた巻取り装置、およびこのような巻取り装置を備えた吊下げ装置を提供することである。
【００１２】
本願発明のさらに別の課題は、ヘッドホンセットにおける小型軽量でかつ確実な動作と操作性とを備えたコードの巻取り装置、およびこのような巻取り装置を備えたヘッドホンセットの吊下げ装置を提供することである。
【００１３】
本願発明の上記の課題および別の課題は、以下に述べる本願発明の技術的思想およびその実施の形態によって明らかにされる。
【課題を解決するための手段】
【００１４】
本願の主要な発明は、リールの外周部に紐状体を巻付けて巻取るようにした巻取り装置において、
前記リールに該リールと一緒に回転するように取付けられ、溝部を備えるロック円板と、前記ロック円板の溝内を相対的に移動するボールと、
を具備し、前記ロック円板はこの巻取り装置の筐体に回転可能に支持されるとともに、前記リールに遊嵌された状態で一緒に回転するように係合されていることを特徴とする巻取り装置に関するものである。
【００１５】
ここで、前記リールが支軸によって前記筐体に回転可能に支持されるとともに、前記リールと前記支軸との間に弾性部材が介装され、該弾性部材の弾性復元力によって前記リールが回転して前記紐状体を巻取るようにしてよい。また前記ロック円板は、前記リールに対して傾斜可能に取付けられていてよい。また前記溝部は前記ロック円板の前記リールと対向する面とは反対側の面に形成され、少なくとも前記リールが内部に収納される前記筐体の内表面に設けられたホルダに前記ボールが保持され、前記ボールが前記ロック円板の前記溝内を相対的に転動するようにしてよい。また前記ロック円板の溝部内を相対的に転動する前記ボールが前記筐体の内表面に設けられている保持溝から成る前記ホルダによって前記リールの半径方向に移動可能に保持されてよい。また前記ロック円板の外周部に係合用の突部が形成され、該突部が前記リールの嵌合孔の内周面に形成された係合用凹部に形成され、前記ロック円板と前記リールとが一緒に回転するように前記ロック円板が前記リールに取付けられてよい。
【００１６】
また前記ロック円板の溝部が第１の溝と第２の溝とロック部とを有し、前記紐状体を引出す際には前記ボールが前記ロック円板の前記第１の溝内を相対的に転動し、前記ボールが前記第１の溝にある状態で前記紐状体の引出しを停止すると、前記リールが前記弾性部材によって最大１回転戻って前記第１の溝と鋭角状に交わる前記ロック部に前記ボールが入込んで前記リールがロックされ、前記ロック状態で前記紐状体を引出すと前記ボールが前記ロック部から前記第２の溝を通って前記第１の溝に戻って更に引出され、前記第２の溝内に前記ボールがある状態で前記紐状体の引出しを解除すると前記ボールが前記第２の溝内を相対的に転動するとともに前記弾性部材によって前記リールが巻取り方向に回転して巻取り動作が行なわれてよい。また前記ロック円板の前記溝部を構成する前記第１の溝と前記第２の溝とが前記ロック円板上において同心円状に形成され、しかも前記ロック部が前記第１の溝と前記第２の溝との間に前記第１の溝および前記第２の溝に連通して形成されてよい。また前記紐状体が信号ケーブルであってよい。
【００１７】
本願の別の主要な発明は、首に巻付けられるネックストラップの分岐部に巻取り装置が設けられ、該巻取り装置によって先端部にコネクタが取付けられたコードが巻取られるようになっており、
前記巻取り装置はこの巻取り装置の筐体に回転可能に支持されるとともにリールと一緒に回転するロック円板を備え、該ロック円板の溝内をボールが相対的に移動するようになっており、しかも前記ロック円板は前記リールに遊嵌されて傾斜可能に取付けられており、
前記巻取り装置の筐体に吊下げ手段を介して携帯式電子機器が吊下げられ、前記コネクタが前記電子機器に接続されるようになっており、前記吊下げ手段が連結部材を介して前記巻取り装置の筐体に対して係合および離脱自在であることを特徴とする吊下げ装置に関するものである。
【００１８】
ここで、前記巻取り装置の筐体側のホルダに保持されている前記ボールが前記ロック円板の溝内を相対的に転動してコードの引出しおよび巻取りが行なわれてよい。また前記リールで巻取られるコードが片側１本であってよい。また前記リールの端面の導体パターンと対接するブラシを有する接点基板が前記巻取り装置の筐体内に取付けられてよい。
【００１９】
本願発明の好ましい態様は、ネックストラップタイプのヘッドホン・ヘッドセットの吊下げ装置において、プラグ付きコードをぜんまいばね付きのリールで巻取るようにし、携帯電話機と連結された連結部材を備え、この連結部材にコードの引出しを防止する係合機構を設けるようにしたものである。ここで、コードの引出し長さを０〜０．６ｍの範囲内で調整可能にしている。またコードの引出し長さの固定手段を、コードをさらに引出すことによって解除することを可能にしている。また連結部材に携帯電話機を吊下げる吊下げ紐の長さを調整可能にしている。またコードの先端側のプラグにマイクロホンと着信スイッチとを設けるようにしている。またコードの余分な長さの部分を連結部材に収納可能にするか、あるいは巻取り手段を設けるか、若しくはカールコードにする。
【００２０】
このような態様によると、コードをぜんまいばね付きのリールで巻取るストラップ装着方式のヘッドホン・ヘッドセットにおいて、連結部材に係合機構を設けることによって、重量がある携帯電話機でも、その重さに関係なくずり下がることがなく、しかもコードを引出す際にも軽快でしかも巻取り力をも強すぎずに設定することが可能になる。また携帯電話機に巻取り可能なコードを接続したことによって、コードの長さを調整できるために、携帯電話機のワンセグ機能を利用して、テレビ放送を視聴する際に、ネックストラップによって首から吊下げたままの状態で、視聴することができる。また自動改札機を通過する際に、ネックストラップによって首から下げた携帯電話機をタッチセンサに容易にアクセスさせることができ、このためにいちいちネックストラップを首から外す必要がなくなる。またヘッドセットに構成する場合には、プラグの内部にマイクロホンを配置することによって、マイクロホン用のシールド線をマイク内部で完結することができ、巻取りコード部はオーディオ信号だけで済むようになり、線材構成が簡単で、コードも細くできる。また巻取り部分の小型軽量化とコード断線防止による耐久性の向上が可能になる。また接続用プラグ付きコードの余剰な長さを糸巻きに巻いたり、カールコードにしたりすることによって、余分なコードが外にはみ出すことがなくなる。
【００２１】
本願発明の別の好ましい態様は、プラグ付きコードをぜんまいばね付きのリールで巻取るようにした巻取り装置において、引出したコードを引出した状態で保持したり解除したりするのに、ボールとボールの動く範囲を溝で規制することによって行なうロック円板式のロック機構において、溝を構成するロック円板とリールとを互いに別体で構成するようにしたものである。ここで、リールに巻取るコードが、従来の両端巻取りでなく、片側１本であってよい。またリールと筐体との間に接点端子と接点基板とを備えるようにしている。
【００２２】
このような態様によると、ボールが転動する溝を構成するロック円板をリールと別体で構成することによって、筐体が押さえ付けられたり、リールが傾いても動作の安定性が損なわれず、小型軽量であるために、筐体の剛性を十分にとる必要がなく、リールがスムーズに動くためにはある程度のガタを見込んでも動作が安定であって、リールに巻取るコードが、従来の両端巻取りではなく、片側１本でも動作が確実になる。またリールと筐体との間に接点端子と接点基板とを配するようにし、途中に着信スイッチやリモコン機能・ボリューム等を設置することが可能になる。このような態様をヘッドホン装置に応用すると、電子機器に接続されるコードの巻取り機能を付与することができ、小型軽量でかつ確実な動作と便利な操作性とを備えることが可能になる。
【発明の効果】
【００２３】
本願の主要な発明は、リールの外周部に紐状体を巻付けて巻取るようにした巻取り装置において、リールに該リールと一緒に回転するように取付けられるロック円板と、ロック円板の溝内を相対的に移動するボールと、を具備し、ロック円板はリールに遊嵌され、かつリールに対して傾斜可能に取付けられるようにしたものである。
【００２４】
従ってこのような巻取り装置によると、ボールと共働して紐状体の巻取りおよびロックを行なうためのロック円板がリールに対して傾斜可能になっているために、筐体が押さえ付けられたりあるいはリールが傾いても、ボールが転働する溝を備えるロック円板の溝の部位の隙間が変化することなく、これによって動作が安定になり、小型軽量でかつ確実な動作と操作性とを備えた巻取り装置を提供できるようになる。
【００２５】
本願の別の主要な発明は、首に巻付けられるネックストラップの分岐部に巻取り装置が設けられ、該巻取り装置によって先端部にコネクタが取付けられたコードが巻取られるようになっており、巻取り装置はリールと一緒に回転するロック円板を備え、該ロック円板の溝内をボールが相対的に移動するようになっており、しかもロック円板はリールに遊嵌されて傾斜可能に取付けられており、巻取り装置の筐体に吊下げ手段を介して携帯式電子機器が吊下げられ、コネクタが電子機器に接続されるようになっており、吊下げ手段が連結部材を介して巻取り装置の筐体に対して係合および離脱自在であるようにしたものである。
【００２６】
従ってこのような吊下げ装置によると、携帯式電子機器をコードの巻取り装置の筐体を介してネックストラップによって吊下げることができる。そして連結部材を巻取り装置の筐体から離脱させるとともに、コードを巻取り装置から引出すことによって、電子機器を任意の位置に手で移動させることが可能になり、任意の位置で携帯式電子機器を各種の態様で使用することが可能になる。
【発明を実施するための最良の形態】
【００２７】
以下本願発明を図示の実施の形態によって説明する。図１は本実施の形態の携帯電話機の吊下げ装置の全体の構成を示しており、この吊下げ装置はネックストラップ１０を備えている。なおこの携帯電話機２０は、デジタルカメラやミュージックプレーヤの機能のみならず、ワンセグ方式のテレビジョン受像機の機能、およびＳｕｉｃａ（登録商標）等のような非接触近接通信機能を用いた自動改札機対応機能や決済機能等の付加機能が追加された携帯電話機である。ネックストラップ１０は首に巻付けることによって、携帯電話機２０を吊下げて保持するようになっている。そしてネックストラップ１０にはその長さ方向に沿って通信ケーブルであるコード１１が配索されるとともに、押え１４の位置でこのコード１１がネックストラップ１０から分離されるようになっている。そしてコード１１の先端にはイヤホン１２あるいはヘッドホンが接続される。イヤホン１２は、携帯電話機２０をミュージックプレーヤとして使用する場合の再生装置として機能する。あるいはまた携帯電話機２０によってハンズフリーで用いるときの受話器としてイヤホン１２が用いられる。
【００２８】
上記ネックストラップ１０の分岐位置であってペンダントヘッドに当たる部位に、巻取り装置１３が取付けられる。この巻取り装置１３の下端側の筒状口部１５に連結部材１６が接続されるとともに、この連結部材１６の側方からコード１７が引出され、このコード１７の先端部にプラグ１８が接続されている。プラグ１８は、携帯電話機２０の側面側のジャックに挿入されるようになっている。そして携帯電話機２０は、上記連結部材１６に、吊下げ紐２１を介して吊下げられるようになっている。
【００２９】
この携帯電話機２０の吊下げ方式の特徴は、携帯電話機２０の荷重を、巻取り装置１３、連結部材１６、および吊下げ紐２１を介してネックストラップ１０によって吊下げるものである。ここで巻取り装置１３によって引出しおよび巻取り自在になっているコード１７には、携帯電話機２０の荷重がかからないようになっている。これは連結部材１６に係合機構が設けられ、この係合機構によって、連結部材１６が巻取り装置１３の筐体の筒状口部１５に係合保持される構造を採用しているからである。
【００３０】
巻取り装置１３の筒状口部１５と連結部材１６との係合を解除すると、図２に示すように、連結部材１６が筒状口部１５から離脱する。従って携帯電話機２０を手で持って、巻取り装置１３から離れるように移動させると、この携帯電話機２０に接続されているプラグ１８が接続されているコード１７が、巻取り装置１３の筒状口部１５から引出されるようになる。従ってこの巻取り装置１３に巻取られているコード１７の最大長まで任意に引出して携帯電話機２０を任意の位置に移動させることができる。従って、例えば自動改札機のタッチセンサにアクセスさせる場合においても、引出されたコード１７によって互いにつながった状態で連結部材１６を筒状口部１５から外して携帯電話機２０を自動改札機のタッチセンサの上に容易にかざすことができる。
【００３１】
図３は巻取り装置１３および連結部材１６の構成を示している。巻取り装置１３はシャーシ２５を備え、このシャーシ２５の中心部に立設して支軸２６が設けられている。そして支軸２６によって上記コード１７を巻取るためのリール２７が回転自在に支持される。リール２７の上部は凹部２８になっており、この凹部２８内にぜんまいばね２９が収納される。ぜんまいばね２９は、リール２７の外周面上にコード１７を巻取るための弾性復元力をチャージするようになっている。またリール２７の下面にはスリップリングが設けられ、このスリップリングと接触するようにブラシ３０がシャーシ２５の底部に取付けられた接点基板３１上に配されている。ブラシ３０は、上記ネックストラップ１０に沿って配索されるコード１１に接続される。従ってリール２７によって巻取り可能なコード１７と、ネックストラップ１０に沿って配索されるコード１１とが、上記スリップリングとブラシ３０とによって互いに電気的に接続される。
【００３２】
シャーシ２５の下面にはフロントカバー３５が取付けられる。これに対してシャーシ２５の上側にはリヤカバー３６が取付けられる。リヤカバー３６の下面には、支軸３７が立設されるとともに、支軸３７の側部であってリヤカバー３５の内表面に凹溝から成るホルダ３８が配され、このホルダ３８によってボール３９を保持するようにしてる。
【００３３】
ボール３９は鋼球から構成され、ロック円板４０の溝に嵌り込むようになっている。しかもロック円板４０がリヤカバー３６の下面に立設されている支軸３７によって回転可能に支持され、止め輪４１によって支軸３７からの脱落が防止された状態でリヤカバー３６に取付けられている。そしてロック円板４０がリール２７と一緒に回転するように上記リール２７の嵌合孔９５に遊嵌され、かつ突部９７がリール２７の係止用凹部９６に係合される。このような構成によって、このロック円板４０を介してコード１７の引出しおよびロックを行なうようにしている。
【００３４】
上記フロントカバー３５とリヤカバー３６とによって閉塞される巻取り装置の下端側の部分には、シャーシ２５から延出された半筒状部４３と、リヤカバー３６によって押さえられる半筒状部４４とが互いに結合され、これによって筒状口部１５が組立てられるようになっている。そして筒状口部１５の外周面上には係合溝４５が形成され、この係合溝４５によって連結部材１６と巻取り装置１３との係合を達成するようにしている。また筒状口部１５を構成する半筒状部４３、４４を結合状態で保持するために押えリング４６が筒状口部１５の根元側に取付けられる。以上のような構成に係る巻取り装置の断面構成が、図１１に示される。
【００３５】
図４および図５はとくにリール２７を示している。このリール２７は、その上端側に開口した凹部２８を備え、この凹部２８に上述の如くぜんまいばね２９を収納するようにしている。そして凹部２８よりも図５において上方には、嵌合孔９５が形成され、この嵌合孔９５の上端側の部分に、ロック円板４０が遊嵌されるようになっている。すなわち嵌合孔９５の内周面には、円周方向に沿って３０度間隔で係止用凹部９６が形成されており、このような凹部９６によって、ロック円板４０の突部９７を受入れ、これによってロック円板４０がリール２７と一緒に回転し、しかもリール２７に対してロック円板４０が傾斜可能に構成している。
【００３６】
図６および図７は上記リール２７と組合わせて用いられるロック円板４０を示している。ロック円板４０は、図６に示すように、外周側の溝７５と内周側の溝７８とを備えるとともに、外周側の溝７５の屈曲位置に壁部７６が形成されている。また上記壁部７６が形成されている屈曲位置の図６において左方にロック部７７が形成され、このロック部７７が内周側の溝７８に連通されている。また内周側の溝７８は連通溝７９によって外周側の溝７５に連通されるようになっている。またこのロック円板４０の外周部には、９０度間隔で４個所に突部９７が形成され、これらの突部９７がリール２７の係止用凹部９６に受入れられるようになっている。
【００３７】
次に上記巻取り装置１３の筒状口部１５に係合および離脱可能に連結される連結部材１６の構成を説明する。連結部材１６は図３および図１２に示すように、筒状をなすコードホルダ５１を備え、このコードホルダ５１内をコード１７が挿通されるとともに、側方に引出されるようになっている。そしてコードホルダ５１の上部には背面側押え５２が、下端側には操作部材５３が取付けられるようになっている。また操作部材５３の内側には、互いに対向するように支軸５４が突設されている。この支軸５４は、コードホルダ５１の下面に設けられている軸受５５によって回転可能に支持されるようになっている。すなわち操作部材５３は、上記支軸５４と軸受５５とを介して、コードホルダ５１の下面において回動可能に支持されるようになっている。しかも上記支軸５４の周囲に巻ばね５６が取付けられており、この巻ばね５６によって、図１３Ａに示すように、操作部材５３は支軸５４を中心として反時計方向に回動付勢されるようになっている。
【００３８】
上記操作部材５３の内表面には、一対のフック５７が一体に形成され、このフック５７によってクリップばね５８が支持される。クリップばね５８はほぼＵ字状の形状をなし、コードホルダ５１の両側部に形成されているスリット５９内に受入れられるとともに、このクリップばね５８が上記筒状口部１５の外周面の係合溝４５に係合されることによって、連結部材１６と巻取り装置１３の筒状口部１５とが互いに係合状態になる。従ってこれにより、連結部材１６は、その荷重が筒状口部１５を介して巻取り装置１３によって受けられるようになり、コード１７に携帯電話機２０の荷重がかからなくなる。
【００３９】
コードホルダ５１の端部には取付け部材６２が取付けられる。取付け部材６２は、上記吊下げ紐２１を取付けるようにしている。この吊下げ紐２１は、携帯電話機の紐挿通孔に挿通されるようになっている。従って連結部材１６は、取付け部材６２に取付けられる吊下げ紐２１を介して携帯電話機２０を吊下げて支持することになる。
【００４０】
次に上記コード１７の先端部であってコードホルダ５１の側部から引出されたコード１７の先端に接続されるプラグ１８の構造について説明する。図３および図１２に示すように、プラグは両側から互いに接合されるプラグケース６７、６８を備えるとともに、とくに図３に示すように、このプラグケース６７、６８内に回路基板６９が配されている。そして回路基板６９上にマイクロホン７０が実装されている。またプラグケース６７、６８の上部には、操作釦７１が取付けられるようになっている。
【００４１】
次に上記巻取り装置１３によるコード１７の巻取りの動作を説明する。ロック円板４２は図６および図１０に示すように、その外周側に外周側の溝７５が形成される。外周側の溝７５には、その円周方向の所定の位置に壁部７６が形成されている。壁部７６は、比較的低い高さになっている。そしてこの壁部７６の近傍に、Ｖ字状ロック部７７が形成されている。またロック円板４０の中心側には、内周側の溝７８が形成されている。そして内周側の溝７８と外周側の溝７５とを連通させるように連通溝７９が形成されるようになっている。
【００４２】
このようなロック円板４０を用いたコード１７の巻取り機構部による巻取りの動作は、ロック円板４０の溝部が外周側の溝７５と内周側の溝７８とＶ字状ロック部７７とを有し、コード１７を引出す際にはボール３９がロック円板４０の外周側の溝７５内を相対的に時計方向に転動するようになっている。そしてボール３９が外周側の溝７５内にある状態でコード１７の引出しを停止すると、リール２７がぜんまいばね２９によって最大１回転戻ってボール３９の相対的転動方向が時計方向から反時計方向に変化し、外周側の溝７５と入口が鋭角状に交わるＶ字状ロック部７７にボール３９が入込んでリール２７がロックされる。そしてこのようなロック状態でコード１７を引出すと、ボール３９が時計方向に転動し、Ｖ字状ロック部７７から内周側の溝７８を通って連通溝７９を経由して外周側の溝７５に戻って更に引出される。一方内周側の溝７８内にボール３９がある状態で、コード１７の引出しを解除すると、ぜんまいばね２９によってリール２７が巻取り方向に回転駆動され、ボール３９は第２の溝７８内を相対的に反時計方向に転動し、巻取り動作が行なわれ、引出されているコード１７の全長の巻取り動作が行なわれる。
【００４３】
ここでこの動作を図１０Ａ、Ｂ、Ｃによって説明する。なおこの巻取り装置は、ロック円板４０がリール２７に係合されており、これに対してボール３９はホルダ３８によって半径方向に移動するようになっている。しかるにここでは、説明の便宜上、ロック円板４０に対してボール３９が相対的に転動することに鑑みて、ボール３９をロック円板４０に対して回転動作させた状態で説明をする。
【００４４】
ボール３９は、コード１７の引出し時に図１０Ａに示すロック円板４０の外周側の溝７５上を時計回りに転動しながら移動する。ここでコード１７が引出されている間は、この外周側の溝７５を遮断する壁部７６を乗越えることを繰返すようにしており、これによってリール２７に巻取られているコード１７の全長をも巻出すことを可能にしている。
【００４５】
コード１７の引出しを停止すると、図１０Ｂに示すように、ぜんまいばね２９の弾性復元力によってリール２７が時計方向に回転し（ボール３９が相対的に反時計方向に移動し）、このリール２７にコード１７が巻込まれる。このときにボール３９は、ロック円板４０の外周側の溝７５内を最大１回転分反時計方向に移動し、内側の溝７８と連続するＶ字状ロック部７７に侵入して引掛かるために、図１０Ｂに示す状態でロック動作が行なわれる。すなわちこのような状態において、ボール３９とロック円板４０との相対運動が停止することになり、リール２７がボール３９およびロック円板４０を介してロックされる。なお図１０Ｂにおける最大引込み位置８０の位置にボール３９が位置した場合が、ボール３９が最も長い経路を反時計回りにほぼ１回転ロック位置まで戻ることになり、これによって最大で８０ｍｍ程度のコード１７が引込まれて止まることになる。
【００４６】
このようにボール３９がＶ字状ロック部７７にロックされた状態でさらにコード１７を引張ると、ボール３９はＶ字状ロック部７７から内周側の溝７８を時計回りに移動する。Ｖ字状ロック部７７と内周側の溝７８とを隔てる壁部８１は、ボール３９が反時計方向の回転を行なうときには乗越えることができないものの、時計方向に移動する場合にはこの壁部８１を乗越えることが可能になっている。そしてこの後に、内周側の溝７８を通過したボールは、連通溝７９によって外周側の溝７５内を移動するようになり、このために図１０Ａに示す動作と同じ動作を行なう。
【００４７】
一方ボール３９が内周側の溝７８内にある内に、コード１７を戻すと、リール２７はぜんまいばね２９によって時計方向に回転され、ボール３９は内周側の溝７８を反時計方向に何回も回り続ける。このときにボール３９は壁部８１によってロック部７７内に侵入できず、このために、ロック動作が行われず、これによってコード１７はその引出された全長がリール２７によって巻取られることになる。コード１７の引出し長さは０．５ｍであって、ロックできる最大長さは０．４５ｍになる。
【００４８】
コード１７を巻付ける巻取り装置は、図８に示すように、リール２７の上端部にロック円板４０を備え、このロック円板４０がリヤカバー３６の下側のホルダ３８に保持されているボール３９と共働し、これによって上述のようにリール２７によるコード１７の巻取りおよび引出しの切換えを行なうようにしている。
【００４９】
とくに図８Ａに示すように、リール２７とロック円板４０とは別部材から構成されており、しかもロック円板４０がリール２７の嵌合孔９５に遊嵌された状態でリール２７に組合わされている。
【００５０】
従ってこのような構成によると、フロントカバー３５とリヤカバー３６とから成る筐体内において図８Ｂに示すようにリール２７が傾いても、ロック円板４０がこの影響を受けることがなく、このためにロック円板４０の溝７５、７８とボール３９との間の隙間が変化することがなく、このために動作が極めて安定になる。またこのような構造によると、リヤカバー３６に対して力が加わっても、このような力による変形を、ロック円板４０を受入れるリール２７の嵌合孔９５内の隙間によって吸収することが可能になる。従ってフロントカバー３５とリヤカバー３６から成る筐体の剛性を高める必要がなくなる。これによって小型軽量でかつ確実な動作が達成され、しかも操作性に優れた巻取り装置が提供されるようになる。
【００５１】
図９Ａに示すように、リール２７にロック円板４０を強固に結合した構成によると、図９Ｂに示すようにリール２７が傾いた場合には、ボール３９が転働する隙間が変化することになり、これによってリール２７の回転動作が不安定になる欠点がある。またリヤカバー３６を押圧した場合に、このリヤカバー３６の変形によって、ボール３９を受入れる溝７５、７８の隙間が変化することになり、このためにボール３９によるロック円板４０のロックおよびロック解除動作が確実に行なわれなくなる欠点がある。このような欠点は、図８に示すように、ロック円板４０をリール２７内に組込むことなく、リール２７の嵌合孔９５に遊嵌した状態でリヤカバー３６の内側に取付けるようにした構成によって解消される。
【００５２】
上記ロック円板４０の下側に配されるぜんまいばね２９としては、板圧が０．１ｍｍ程度の板ばねが用いられている。一般にワンセグ機能と決済機能が付いた１６０ｇ程度の携帯電話機を吊下げるのに要する力を、このぜんまいばね２９が負担することができない。従ってロック円板４０によるロックが解除された状態で手を離すと、コード１７が巻取り装置１３のリール２７から引出された状態で、携帯電話機２０が落下するものの、このときにリール２７の動作によって、携帯電話機２０の落下が緩衝されるために、携帯電話機２０に対して大きな衝撃が加わることが防止される。また巻取りを行なうためには、コード１７を引張るだけでよく、このために巻取り釦が不要になる。そして巻取り釦を無くすことによって、ストラップ装着時に不用意な巻取りを防止することができる。
【００５３】
次に連結部材１６と筒状口部１５との係合および離脱の構造を図１３および図１４によって説明する。連結部材１６を巻取り装置１３の筒状口部１５と接続させると、図１３Ｂに示すように、コードホルダ５１の中心孔の部分に筒状口部１５が侵入することになる。従ってコードホルダ５１のスリット５９に臨むクリップばね５８が、筒状口部１５の先端側のテーパ部を乗越えて係合溝４５に落込むようになる。すなわちクリップばね５８によって、筒状口部１５と連結部材１６との係合構造が達成される。従って、吊下げ紐２１を介して連結部材６１に吊下げられる携帯電話機２０は、上記のクリップばね５８の係合構造によって、巻取り装置１３の筐体によってその荷重が負担される状態になる。
【００５４】
次にこのような連結部材１６の操作部材５３を図１４Ａに示すように押圧し、巻ばね５６に抗して支軸５４を中心としてこの操作部材５３を時計方向に回転操作すると、この操作部材５３の背面側のフック５７がクリップばね５８を下方に引張るようになる。これによってスリット５９内に臨んでいるクリップばね５８が筒状口部１５の係合溝４５から離脱する。これによって、巻取り装置１３の筒状口部１５と連結部材１６との係合が解除されるようになる。
【００５５】
従って例えばワンセグ機能を利用して、携帯電話機２０によってテレビジョン放送を視聴する場合や、自動改札機のタッチセンサに携帯電話機２０をアクセスさせる場合には、図２に示すように、この携帯電話機２０を大きく下方に位置させるようにすることができる。なおこのときに、携帯電話機２０に接続されているプラグ１８を有するコード１７は、上記巻取り装置１３の筒状口部１５から引出されることになる。すなわち携帯電話機２０によって自動改札を通過する際には、この携帯電話機２０を片手で握りながら吊下げ紐２１が取付けられている連結部材１６の操作部材５３を操作することによって、筒状口部１５から連結部材１６を外すことが可能になる。
【００５６】
次に上記連結部材１６の側部から引出されるとともに、先端部にプラグ１８が接続されているコード１７（図１参照）の巻取り装置８５について説明する。この巻取り装置８５は、図１５〜図１７に示すように、弾性材料、例えばゴムによって一体に成形された成形体であって、中間部分が棒状をなす巻取り部８６に構成されている。なお巻取り部８６は、必ずしも無空の棒状である必要はなく、筒体から構成されてもよい。また巻取り部８６の両側にはそれぞれカップ状、あるいは半球状のフランジ８７が一体に連結されている。なおフランジ８７は、図１５Ａ、Ｂに示すように、両側のフランジ８７が互いに背中合わせの状態と、図１５Ｃに示すように、両側のフランジ８７の外周縁が互いに接触あるいは近接する近接位置の２つの姿勢をとるようになっており、フランジ８７を弾性変形させることによって、ある位置を境にして離反位置と近接位置の何れかの姿勢をとることになる。また上記巻取り部８６には、その中間位置に、図１６に示すような凹部から成る引掛け部８８が形成され、この引掛け部８８によって、巻取るコード１７の一部を挿入して引掛けるようにしている。
【００５７】
このようにゴムによって一体成形された巻取り装置８５によってコード１７を巻取る場合には、図１５Ａおよび図１６に示すように、巻取り部８６の引掛け部８８にコード１７を引掛ける。このような状態で、コード１７を巻取り部８６の外周部に図１５Ｂおよび図１６に示すように巻取る。なお巻取り量は、図１に示されるように、このコード１７の必要長さよりも長い余剰の部分を巻取る長さとする。
【００５８】
巻取り部８６によってコード１７を巻取る際には、図１５Ａ、Ｂ、および図１６に示すように、巻取り部８６の両側のカップ状をなすフランジ８７を互いにそれらが背中合わせになるように弾性変形させておく。これによって巻取り部８６に対するコード１７の巻取りが容易になる。そして巻取りを終わったならば、両側のフランジ８７を図１５Ｃおよび図１７に示すように、近接状態となるように弾性変形させる。このフランジ８７の変形動作は、フランジ８７を所定の位置を越えて弾性変形させることによって、フランジ８７の外周縁の部分が互いに近接あるいは当接する姿勢をとるようにする。このような姿勢に変化させると、とくに図１５Ｃに示すように、巻取り装置８５が全体としてほぼ球状をなすとともに、巻取り部８６によって巻取られたコード１７が外からほとんど見えなくなる。しかもフランジ８７によって内部の巻取り部を覆っているために、コード１７が不測に解けることがなくなる。
【００５９】
このように本実施の形態においては、携帯電話機２０と接続されたコード１７をぜんまいばね２９を内蔵するリール２７で巻取るストラップ装置方式のヘッドホン・ヘッド装置において、クリップばね５８を有する連結部材１６を用いることによって、重量がある携帯電話機２０であっても、この携帯電話機２０の重量に関係なくずり下がることがなくなり、しかも引出す際にも、弱い弾性復元力のぜんまいばね２９に抗して軽快に引出すことができ、またぜんまいばね２９によるリール２７の巻取り力も強すぎることがなくなる。また携帯電話機２０をコード１７にプラグ１８を介して連結したことによって、コード１７の長さを調整できるために、携帯電話機２０によって、ワンセグの機能を利用してテレビジョン受像機を視聴する際に、ネックストラップ１０によって携帯電話機２０を首から下げたままの状態で視聴することができる。また自動改札機のタッチセンサとアクセスする際にも、図２に示すように、携帯電話機２０を容易にタッチセンサにかざすことができ、その際にネックストラップ１０をいちいち胸元から取外す必要がなくなる。またヘッドセットとして用いる場合に、プラグ１８の内部にマイクロホン７０を配置することによって、マイクロホン７０のシールド線をマイクロホン内部で完結させることができ、巻取り装置で巻取られるコード１７はオーディオ信号だけで済むために、線材構成が簡単で、コード１７も細くできるために、巻取り部分の小型軽量化と、コードの断線防止による耐久性の向上が可能になる。また接続用プラグ付きコード１７の余剰部分を巻取り装置８５（図１参照）によって巻取ったり、あるいはまたコード１７のこの部分をカールコードとすることによって、コード１７の余分な部分がはみ出すことがなくなる。
【００６０】
すなわち、コード１７の連結部材１６の側部から引出された部位であって、プラグ１８を先端に接続しているコード１７の余剰部分が、巻取り装置８５によって巻取られるようになっている。このような巻取り装置８５は、上述の如く、一体成形されたゴムから構成されている。そしてこのような巻取り装置は、図１５ＡおよびＢに示すように、巻取り部８６の両側のフランジ８７を互いに離反状態にし、この状態で巻取り部８６上にコード１７を巻取るとともに、所定の長さのコード１７を巻取った後に、図１５Ｃに示すように、両側のフランジ８７を、それらの外周縁が互いに当接または近接する近接位置となるように弾性変形させるようにしている。従って図１５Ｃに示すように、ほぼ球状をなす巻取り装置内に余剰のコード１７が巻取られることになり、これによって余剰のコード１７の処理が容易に行なわれることになる。
【００６１】
また本実施の形態に係る巻取り装置を有する吊下げ装置においては、溝７５、７８が形成されているロック円板４０をリール２７とは別部材から構成し、巻取り装置のフロントカバー３５とリヤカバー３６から成る筐体が押さえ付けられたり、リール２７が傾斜しても、動作が安定で、小型軽量のために、筐体の剛性を十分にとる必要がなく、リール２７がスムーズに動くためにはガタをある程度見込んでも動作が安定で、リール２７に巻取るコード１７が、従来の両端巻取りではなく、片側１本でも動作が確実になる。リール２７と筐体との間にブラシ３０を備える接点基板３１を配することが可能で、途中に着信スイッチやリモコン機能、あるいはボリューム等の設置を行なうことができる。そしてとくにコード１７の巻取り機能をもった吊下げ装置において、小型軽量でかつ確実な動作と、便利な操作性とを兼備えた巻取り装置を提供することが可能になる。
【００６２】
以上本願発明を図示の実施の形態によって説明したが、本願発明は上記実施の形態によって限定されることなく、本願発明の技術的思想の範囲内において各種の変更が可能である。例えば上記実施の形態における連結部材１６と巻取り装置１３の筒状口部１５との係合構造としては、必ずしもクリップばね５８を用いた構造にする必要はなく、その他各種の係合構造を任意に選択可能である。またこの吊下げ装置は、必ずしも携帯電話機２０の吊下げ装置に限定されることなく、その他各種の携帯式電子機器の吊下げ装置として広く利用可能である。
【産業上の利用可能性】
【００６３】
本願発明は、携帯電話機をネックストラップによって吊下げるための吊下げ装置として広く利用可能である。
【図面の簡単な説明】
【００６４】
【図１】携帯電話機の吊下げ装置の全体の構成を示す正面図である。
【図２】携帯電話機に接続されたコードを引出す動作を示す斜視図である。
【図３】巻取り装置の構成を示す分解斜視図である。
【図４】巻取り装置を構成するリールの平面図である。
【図５】同リールの縦断面図である。
【図６】ロック円板の平面図である。
【図７】同ロック円板の縦断面図である。
【図８】リールとロック円板との関係を示す縦断面図である。
【図９】リールにロック円板を組込んだ構成の動作を示す巻取り装置の要部縦断面図である。
【図１０】巻取り装置のロック機構の動作を示す正面図である。
【図１１】巻取り装置の内部構造を示す縦断面図である。
【図１２】巻取り装置の筒状口部と接続される連結部材の構成を示す分解斜視図である。
【図１３】連結部材による係合動作を示す縦断面図および横断面図である。
【図１４】同係合の解除動作を示す縦断面図および横断面図である。
【図１５】巻取り装置によるコードの巻取り動作を示す斜視図である。
【図１６】巻取り装置によるコードの巻取り動作を示す正面図である。
【図１７】フランジを近接位置に弾性変形させた状態の巻取り装置の縦断面図である。
【符号の説明】
【００６５】
１０…ネックストラップ、１１…コード、１２…イヤホン、１３…巻取り装置、１４…押え、１５…筒状口部、１６…連結部材、１７…コード、１８…プラグ、２０…携帯電話機、２１…吊下げ紐、２５…シャーシ、２６…支軸、２７…リール、２８…凹部、２９…ぜんまいばね、３０…ブラシ、３１…接点基板、３５…フロントカバー、３６…リヤカバー、３７…支軸、３８…ホルダ、３９…ボール、４０…ロック円板、４１…止め輪、４３、４４…半筒状部、４５…係合溝、４６…押えリング、５１…コードホルダ、５２…背面側押え、５３…操作部材、５４…支軸、５５…軸受、５６…巻ばね、５７…フック、５８…クリップばね、５９…スリット、６２…取付け部材、６７、６８…プラグケース、６９…回路基板、７０…マイクロホン、７１…操作釦、７５…外周側の溝、７６…壁部、７７…Ｖ字状ロック部、７８…内周側の溝、７９…連通溝、８０…最大引込み位置、８１…壁部、８５…巻取り装置、８６…巻取り部、８７…フランジ、８８…引掛け部、９５…嵌合孔、９６…係止用凹部、９７…突部
【図１】
2008303037.tif 000003
【図２】
2008303037.tif 000004
【図３】
2008303037.tif 000005
【図４】
2008303037.tif 000006
【図５】
2008303037.tif 000007
【図６】
2008303037.tif 000008
【図７】
2008303037.tif 000009
【図８】
2008303037.tif 000010
【図９】
2008303037.tif 000011
【図１０】
2008303037.tif 000012
【図１１】
2008303037.tif 000013
【図１２】
2008303037.tif 000014
【図１３】
2008303037.tif 000015
【図１４】
2008303037.tif 000016
【図１５】
2008303037.tif 000017
【図１６】
2008303037.tif 000018
【図１７】
2008303037.tif 000019